(57)【要約】【課題】  ユーザーが、容易に画像データを読み出せない。【解決手段】  デジタルカメラ１のカメラ本体１０のカメラハウジング１５は遮光性を有していないので、カバー１００を外したカメラ本体１０のみの状態では撮影できない。また、カバー１００は接着接合されているので、カバーを壊して取り外すと再度取りつけることが出来ない。つまり、再度撮影可能な状態には復帰できない。このように、ユーザーが画像を取り出してリサイクルすることが略不可能な構成となっている。【選択図】        図１
2007067468.tif 000002
【特許請求の範囲】
【請求項１】
外部の画像データ取出手段によってのみ、内蔵された画像記憶部から撮影された画像データを取り出し可能なデジタルカメラであって、
前記画像データ取出手段は当該デジタルカメラ専用であり、
最外装には当該デジタルカメラの機能の少なくとも一部を備え、前記最外装が取り外されると前記機能の一部が機能しなくなるとともに、取り付け不能となることを特徴とするデジタルカメラ
【請求項２】
外部の画像データ取出手段によってのみ、内蔵された画像記憶部から撮影された画像データを取り出し可能なデジタルカメラであって、
前記画像データ取出手段は当該デジタルカメラ専用であり、
最外装は当該デジタルカメラの機能の少なくとも一部を備え、前記最外装が取り外されると前記機能の一部が機能しなくなるとともに、取り外された前記最外装を再び取り付けても、前記機能の少なくとも一部は復帰しないことを特徴とするデジタルカメラ。
【請求項３】
前記最外装に少なくとも１枚以上のレンズを設け、当該デジタルカメラの機能の一部として機能させていることを特徴とする請求項１、又は請求項２に記載のデジタルカメラ。
【請求項４】
前記最外装に当該デジタルカメラを操作する操作部の少なくとも一部を設け、当該デジタルカメラの機能の一部として機能させていることを特徴とする請求項１、又は請求項２に記載のデジタルカメラ。
【請求項５】
前記最外装に撮像に必要なデータを記憶した撮像情報記憶部を設け、当該デジタルカメラの機能の一部として機能させていることを特徴とする請求項１、又は請求項２に記載のデジタルカメラ。
【請求項６】
前記最外装に当該デジタルカメラの動作を許可する許可手段を設け、当該デジタルカメラの機能の一部として機能させていることを特徴とする請求項１、又は請求項２に記載のデジタルカメラ。
【請求項７】
当該デジタルカメラは、機能の少なくとも一部を破損する破損手段を有し、
前記最外装に、前記破損手段による破壊動作を停止状態にさせ、該最外装が取り外されると停止状態を解除する停止手段を設け、当該デジタルカメラの機能の一部として機能させていることを特徴とする請求項１、又は請求項２に記載のデジタルカメラ。
【請求項８】
当該デジタルカメラは、カメラ本体と、前記カメラ本体の外側に設けられたカバーと、を有し、
前記最外装は、前記カバーであることを特徴とする請求項１から請求項７のいずれか１項に記載のデジタルカメラ。
【請求項９】
当該デジタルカメラは、カメラ本体と、前記カメラ本体の外側に設けられたカバーと、を有し、
前記カメラ本体は、遮光性を有しておらず、
前記最外装である前記カバーに、遮光機能を持たせることで、当該デジタルカメラの機能の一部として機能させていることを特徴とする請求項１に記載のデジタルカメラ。
【請求項１０】
前記カメラ本体には、外部の前記画像データ取出手段が接続可能な接続部が設けられ、
前記接続部は、前記カバーで覆われて露出していないことを特徴とする請求項８、又は請求項９に記載のデジタルカメラ。
【請求項１１】
請求項１から請求項１０のいずれか１項のデジタルカメラをリサイクルしたリサイクルデジタルカメラであって、
撮影済みのデジタルカメラの前記画像記憶部から撮影された画像の画像データを前記画像取出手段で取り出し、かつ、該画像記憶部の画像データを消去したことを特徴とするリサイクルデジタルカメラ。
【請求項１２】
前記最外装を取り外し、別の最外装を取り付けたことを特徴とする請求項１１に記載のリサイクルデジタルカメラ。
【請求項１３】
請求項１から請求項１０のいずれか１項に記載のデジタルカメラをリサイクルするリサイクル方法であって、
前記画像記憶部から撮影された画像の画像データを、前記画像取出手段で取り出す画像読出工程と、
前記画像記憶部の画像データを消去する画像消去工程と、
前記画像取出手段で取り出された画像データ、及び該画像データに基づいてプリントしたプリント画像のいずれか一方、又は両方をユーザーに渡す画像提供工程と、
を有することを特徴とするデジタルカメラのリサイクル方法。
【請求項１４】
当該デジタルカメラの前記最外装を取り外す最外装取外工程と、
当該デジタルカメラに別の最外装を取り付ける最外装取付工程と、
を有することを特徴とする請求項１３に記載のデジタルカメラのリサイクル方法。
【請求項１５】
請求項１から請求項１０のいずれか１項に記載のデジタルカメラをリサイクルするリサイクルシステムであって、
撮影済みの当該デジタルカメラの前記画像記憶部から撮影された画像の画像データを前記画像取出手段で取り出し、画像データ、及び前記画像データに基づいてプリントしたプリント画像のいずれか一方、又は両方をユーザーに渡すとともに、
前記画像記憶部の画像データを消去し、検査・部品交換・清掃等のリサイクル作業が行われた後、レンタル、又は販売されることを特徴とするデジタルカメラのリサイクルシステム。
【発明の詳細な説明】
【技術分野】
【０００１】
本発明は、デジタルカメラ、及びこのデジタルカメラをリサイクルしたリサイクルデジタルカメラ、並びにこのデジタルカメラのリサイクル方法、及びデジタルカメラのリサイクルシステムに関する。
【背景技術】
【０００２】
現在、デジタルフォトサービスとしては、ユーザーが撮影した画像の画像データを記憶させたメモリーカード等を写真店などに持ち込んだり、通信回線を利用してプリントを注文する方法等がある。
【０００３】
しかし、近年の環境問題に対する関心の高まり等から、デジタルカメラをリサイクル及びリユースすることが提案されている。また、不特定多数のユーザーに貸し出して回収する、所謂レンタルタイプ、あるいは販売して回収する、所謂リサイクルタイプのデジタルカメラ、及び、このようなデジタルカメラのリサイクルシステムが提案されている。しかしながら、通常、カメラハウジング、レンズ、液晶ディスプレイなどが傷付いた場合、それらを交換しないと再度レンタルあるいは販売することができない。（例えば、特許文献１参照）。
【０００４】
デジタルカメラでなくフィルムカメラが対象であるが、防水パックの中にカメラ本体が収容された構成とし、回収されたフィルムカメラの防水パックを交換することで、外観上は略新品にできる構成が提案されている。しかしながらフィルムカメラは、リサイクル時にフィルムを交換する必要があり、リサイクルが容易ではない。（例えば、特許文献２参照）。
【０００５】
更に、特許文献１、及び特許文献２ともに、ユーザーが分解して画像データを取り出したり、あるいはフィルムを交換したのち、組み立てることが可能である。よって、レンタル、あるいはリサイクルのシステムの構築に支障をきたすことが考えられる。
【特許文献１】特開２００２−２８１２２７号公報
【特許文献２】特開１０−３１１３号公報
【発明の開示】
【発明が解決しようとする課題】
【０００６】
本発明は、上記問題を解決すべく成されたもので、ユーザーが、容易に画像データを読み出せないことを目的とする。
【課題を解決するための手段】
【０００７】
上記目的を達成するために本発明のデジタルカメラは、外部の画像データ取出手段によってのみ、内蔵された画像記憶部から撮影された画像データを取り出し可能なデジタルカメラであって、前記画像データ取出手段は当該デジタルカメラ専用であり、最外装には当該デジタルカメラの機能の少なくとも一部を備え、前記最外装が取り外されると前記機能の一部が機能しなくなるとともに、取り付け不能となることを特徴としている。
【０００８】
デジタルカメラは、外部の画像データ取出手段によってのみ、撮影された画像の画像データを画像記憶部から取り出し可能である。また、最外装には当該デジタルカメラの機能の少なくとも一部を備え、最外装が取り外されると機能の一部が機能しなくなる。そして、一旦取り外された最外装は、再び取り付け不能となる。
【０００９】
よって、例えば、内蔵された画像記憶部から画像データを取り出そうと、ユーザーが最外装を取り外すと、機能の一部が機能しなくなる。更に、一旦取り外された最外装は、再び取り付け不能であるので、再び撮影可能な状態には復帰しない。つまり、ユーザーが、画像データを取り出してリサイクルすることが略不可能な構成となっている。
【００１０】
なお、上記、及び下記の、「取り付け不能となる」とは、ユーザーが再び取り付けことができない、あるいは非常に困難であるが、当該デジタルカメラの製造業者、あるいは専門の業者等においては、取り付けが可能な構成を指す。例えば、最外装が接着接合された構成、あるいは最外装の取り外しには鍵や特殊工具などが必要な構成などがある。このような構成とするとユーザーは最外装を壊して取り外す必要があるので、再度取り付けることが不可能となる。
【００１１】
また、上記、及び下記の、「外部の画像データ取出手段によってのみ、内蔵された画像記憶部から撮影された画像データを取り出し可能」とは、例えば、メモリーカードなどの記憶媒体を用いて画像データを取り出すことができない構成を指す。
【００１２】
更に、上記、及び下記の、「画像データ取出手段は当該デジタルカメラ専用」とは、ユーザーが容易に入手できない画像データ取出手段を指す。換言すると、ユーザーは画像データの読み出しはできないが、当該デジタルカメラの製造業者、あるいは専門の業者等においては、読み出しが可能な画像データ取出手段を指す。例えば、一般的な規格と異なる専用の接続コネクタで接続して画像を読み出す構成、あるいは画像の読出しにはパスワードや認証が必要な構成などがある。
【００１３】
また、本発明のデジタルカメラは、外部の画像データ取出手段によってのみ、内蔵された画像記憶部から撮影された画像データを取り出し可能なデジタルカメラであって、前記画像データ取出手段は当該デジタルカメラ専用であり、最外装は当該デジタルカメラの機能の少なくとも一部を備え、前記最外装が取り外されると前記機能の一部が機能しなくなるとともに、取り外された前記最外装を再び取り付けても、前記機能の少なくとも一部は復帰しないことを特徴としている。
【００１４】
デジタルカメラは、外部の画像データ取出手段によってのみ、撮影された画像の画像データを画像記憶部から取り出し可能である。また、最外装には当該デジタルカメラの機能の少なくとも一部を備え、最外装が取り外されると機能の一部が機能しなくなる。そして、一旦取り外された最外装を、再び取り付けても、機能の一部は復帰しない。
【００１５】
よって、例えば、内蔵された画像記憶部から画像データを取り出そうと、ユーザーが最外装を取り外すと、機能の一部が機能しなくなる。更に、一旦取り外された最外装を、再び取り付けても機能の一部が復帰しないので、再び撮影可能な状態には復帰しない。つまり、ユーザーが、画像データを取り出してリサイクルすることが略不可能な構成となっている。
【００１６】
更に好適には、前記最外装に少なくとも１枚以上のレンズを設け、当該デジタルカメラの機能の一部として機能させても良い。
【００１７】
このように最外装に少なくとも１枚以上のレンズを固定させると、最外装を取り外すとレンズが足りなくなる。よって、正常な撮影画像が得られない。
【００１８】
そして、一旦取り外された最外装は、再び当該デジタルカメラには、取り付け不能となっているので、再び撮影可能な状態には復帰しない。
【００１９】
あるいは、レンズは高精度な光軸調整などを行う必要であるので、一旦取り外された最外装を単純に再び取り付けても、正常な撮影画像が得られない。つまり、再び撮影可能な状態には復帰しない。
【００２０】
更に好適には、前記最外装に当該デジタルカメラを操作する操作部の少なくとも一部を設け、当該デジタルカメラの機能の一部として機能させても良い。
【００２１】
このように最外装に当該デジタルカメラを操作する操作部の少なくとも一部を設けると、最外装を取り外すと一部の操作ができなくなる。
【００２２】
そして、一旦取り外された最外装は、再び取り付け不能となっているので、再び撮影可能な状態には復帰しない。
【００２３】
あるいは、一旦取り外された最外装を再び取り付けても、一部の操作は復帰しないので、やはり再び撮影可能な状態には復帰しない。
【００２４】
なお、一部の操作が復帰しない構成は、例えば、最外装を取り外すと操作部の接続部が外れ、最外装を取り付けても接続部が接続されない構成などがある。
【００２５】
更に好適には、前記最外装に撮像に必要なデータを記憶した撮像情報記憶部を設け、当該デジタルカメラの機能の一部として機能させても良い。
【００２６】
このように最外装に撮像に必要なデータを記憶した撮像情報記憶部を設けると、最外装を取り外すと、撮像に必要なデータが無いので、正常な撮影画像が得られない。
【００２７】
そして、一旦取り外された最外装は、再び取り付け不能となっているので、再び撮影可能な状態には復帰しない。
【００２８】
あるいは、一旦取り外された最外装を再び取り付けても、撮像情報記憶部は復帰しない、つまり、撮像に必要なデータが無い状態のままであるので、やはり、再び撮影可能な状態には復帰しない。
【００２９】
なお、記憶部が復帰しない構成は、例えば、最外装を取り外すと撮像情報記憶部の接続部が外れ、最外装を取り付けても接続部が接続されない構成などがある。
【００３０】
また、撮像に必要なデータとは、例えば、撮影時に参照する調整データ、例えば、オートフォーカス用データ、ＣＣＤのシェーディング補正用データなどがある。
【００３１】
更に好適には、前記最外装に当該デジタルカメラの動作を許可する許可手段を設け、当該デジタルカメラの機能の一部として機能しても良い。
【００３２】
このように、最外装に当該デジタルカメラの動作を許可する許可手段を設けると、最外装を取り外すと、動作が許可されないので撮影できない。
【００３３】
そして、一旦取り外された最外装は、再び取り付け不能となっているので、再び撮影可能な状態には復帰しない。
【００３４】
あるいは、一旦取り外された最外装を再び取り付けても許可手段が復帰しない、つまり、動作が許可されていない状態のままであるので、やはり、再び撮影可能な状態には復帰しない。
【００３５】
なお、許可手段が復帰しない構成は、例えば、最外装を取り外すと許可手段の接続部が外れ、最外装を取り付けても接続部が接続されない構成などがある。
【００３６】
更に好適には、当該デジタルカメラは、機能の少なくとも一部を破損する破損手段を有し、前記最外装に、前記破損手段による破壊動作を停止状態にさせ、該最外装が取り外されると停止状態を解除する停止手段を設け、当該デジタルカメラの機能の一部として機能させても良い。
【００３７】
このように、当該デジタルカメラは、機能の少なくとも一部を破損する破損手段を有し、最外装にこの破損手段の動作を停止させる停止手段を設けているので、最外装を取り外すと、破損手段によって機能の一部が破損するので撮影できなくなる。
【００３８】
また、一旦取り外された最外装を再び取り付けても破損した機能は復帰しないので、再び撮影可能な状態には復帰しない。
【００３９】
なお、破損とは、例えば、撮像に必要なデータの消失やヒューズ切れなどがある。
【００４０】
更に好適には、当該デジタルカメラは、カメラ本体と、前記カメラ本体の外側に設けられたカバーと、を有し、前記最外装は、前記カバーであっても良い。
【００４１】
このように、当該デジタルカメラは、カメラ本体と、カメラ本体の外側に設けられた最外装となるカバーとを有しているので、例えば、当該デジタルカメラをリサイクルする際に、カバーを交換するだけで、外観上は新品と略同等となる。
【００４２】
更に好適には、当該デジタルカメラは、カメラ本体と、前記カメラ本体の外側に設けられたカバーと、を有し、前記カメラ本体は、遮光性を有しておらず、前記最外装である前記カバーに遮光機能を持たせることで、当該デジタルカメラの機能の一部として機能させても良い。
【００４３】
このように最外装であるカバーに遮光機能を持たせているので、例えば、内蔵された画像記憶部から画像データを取り出そうとして、ユーザーがカバーを取り外すと、遮光性がなくなるので、撮影出来なくなる。更に、一旦取り外された最外装は、再び取り付け不能となっているので、再びデジタルカメラとして利用することができない。つまり、ユーザーが、画像データを取り出してリサイクルすることが略不可能な構成となっている。
【００４４】
更に好適には、前記カメラ本体には、外部の前記画像データ取出手段が接続可能な接続部が設けられ、前記接続部は、前記カバーで覆われて露出していないこととしても良い。
【００４５】
このように、外部の画像データ取出手段が接続可能な接続部がカメラ本体に設けられ、この接続部はカバーで覆われて露出していないので、ユーザーが画像データを読み出すことが更に困難になっている。
【００４６】
また、本発明のリサイクルデジタルカメラは、撮影済みのデジタルカメラの前記画像記憶部から撮影された画像の画像データを前記画像取出手段で取り出し、かつ、該画像記憶部の画像データを消去したことを特徴としている。
【００４７】
このように、撮影済みのデジタルカメラを廃棄せずにリサイクルしてリサイクルデジタルカメラとし、環境に対して考慮している。
【００４８】
更に好適には、前記最外装を取り外し、別の最外装を取り付けても良い。
【００４９】
このように、最外装を交換しているので、外観上は新品と略同等のリサイクルデジタルカメラとなる。
【００５０】
なお、カメラ本体と、カメラ本体を覆う最外装となるカバーと、を有する構成の場合、カバーを交換するだけで外観上は新品と略同等となるので、容易に低コストでリサイクルされたリサイクルデジタルカメラとなる
また、本発明のデジタルカメラのリサイクル方法は、前記画像記憶部から撮影された画像の画像データを、前記画像取出手段で取り出す画像読出工程と、前記画像記憶部の画像データを消去する画像消去工程と、前記画像取出手段で取り出された画像データ、及び該画像データに基づいてプリントしたプリント画像のいずれか一方、又は両方をユーザーに渡す画像提供工程と、を有することを特徴としている。
【００５１】
このように、デジタルカメラを廃棄せずにリサイクルするので、環境に対して考慮されている。なお、画像消去工程と画像提供工程との作業の順番が逆であっても良い。
【００５２】
更に好適には、当該デジタルカメラの前記最外装を取り外す最外装取外工程と、当該デジタルカメラに別の最外装を取り付ける最外装取付工程と、を有していても良い。
【００５３】
このように、最外装を交換しているので、外観上は新品と略同等となる。なお、最外装取外工程は、当該デジタルカメラの構成によって、画像読出工程，画像消去工程，画像提供工程のいずれの前後でも可能である。また、最外装取付工程も、最外装取外工程の後であれば、いずれでも可能である。
【００５４】
なお、カメラ本体と、カメラ本体を覆う最外装となるカバーと、を有する構成の場合、カバーを交換するだけで外観上は新品と略同等となるので、容易に低コストでリサイクルできる。
【００５５】
また、本発明のデジタルカメラのリサイクルシステムは、撮影済みの当該デジタルカメラの前記画像記憶部から撮影された画像の画像データを前記画像取出手段で取り出し、画像データ、及び前記画像データに基づいてプリントしたプリント画像のいずれか一方、又は両方をユーザーに渡すとともに、前記画像記憶部の画像データを消去し、検査・部品交換・清掃等のリサイクル作業が行われた後、レンタル、又は販売されることを特徴としている。
【００５６】
ユーザーが容易に画像データを読み出せないデジタルカメラを使用することで、リサイクルシステムの構築に支障をきたさない。
【発明の効果】
【００５７】
以上説明したように本発明によれば、ユーザーが、容易に画像データを読み出せないという効果がある。
【発明を実施するための最良の形態】
【００５８】
本発明の第一の実施形態のデジタルカメラについて説明する。
【００５９】
図２に示すデジタルカメラ１は、不特定多数のユーザーに貸し出して回収する、所謂レンタルタイプのデジタルカメラ、あるいは販売して回収する、所謂リサイクルタイプのデジタルカメラである。
【００６０】
図１に示すように、デジタルカメラ１は、カメラ本体１０とカメラ本体１０を格納する箱形状のカバー１００（第一カバー１０４，第二カバー１０２）とで構成されている。
【００６１】
カメラ本体１０は、箱形状のカメラハウジング１５を備えている。カメラハウジング１５の正面には、露光に際して被写体が適正な露光光量が得られない低照度の場合に発光されるストロボ１６、複数の撮影レンズ１２（図３参照）を内蔵したレンズユニット１１が設けられている。
【００６２】
カメラハウジング１５の上面には、撮影指示ボタンとして、撮影を実行する際に撮影者によって押圧操作されるシャッターボタン１４（所謂レリーズボタン）が設けられている。
【００６３】
図２（Ｂ）にも示すように、カメラハウジング１５の背面には、撮影によって得られた被写体像、各種メニュー、画像処理に関するパラメータ、メッセージ等を表示するための液晶ディスプレイ２６、液晶ディスプレイ２６に表示されたメニュー画面から所望のメニュー項目又はパラメータを選択したり、撮影倍率のアップ／ダウンを指示するためのカーソルボタン２２、各種操作を行う操作ボタン２４が設けられている。
【００６４】
更に、カメラ本体１０には、撮影によって得られた画像データを記憶する記憶部２０（図１２参照）が内蔵されている。
【００６５】
また、図１１（Ａ）に示すように、カメラハウジング１５の側面には、接続端子１５０が設けられている。そして、図１１（Ｂ）に示すように、この接続端子１５０に外部装置６２の接続端子１５２を接続し、記憶部２０（図１２参照）に記憶された画像データを外部装置６２に読み出すともに、記憶部２０に記憶された画像データを消去することができる。
【００６６】
なお、この接続端子１５０，１５２は、通常の規格品でなく、このデジタルカメラ１専用となっている。つまり、カメラ本体１０の接続端子１５０に接続して画像データを取り出すには、専用の接続端子１５２が必要である。よって、一般のユーザーは、カメラ本体１０の接続端子１５０に接続して画像データを取り出すことができない構成となっている。
【００６７】
なお、画像データの消去は、カーソルボタン２２，操作ボタン２４（図２（Ｂ）参照）の操作によって、ユーザーでも可能である。
【００６８】
さて、前述したように、カメラ本体１０全体はカメラハウジング１５で覆われており、このカメラハウジング１５をカバー１００が覆っている。
【００６９】
図１に示すように、カバー１００には、レンズユニット１１用のレンズ窓１１３、カーソルボタン２２及び操作ボタン２４用の操作窓１０８、液晶ディスプレイ２６用の液晶窓１０６、シャッターボタン１４１用のシャッター窓１２１、ストロボ１６用のストロボ窓１１０が設けられている。
【００７０】
また、それぞれの窓枠部分のカメラハウジング１５、又はカバー１００には、ゴムやスポンジ等からなり、遮光性を有する弾性部材１２０が配設されている。
【００７１】
更に、図２にも示すように、操作窓１０８には、透明な弾性部材からなる操作カバー１０９が嵌めこまれている。また、シャッター窓１２１の上部にも、シャッター窓１２１から突出したシャッターボタン１４を覆う透明な弾性部材からなる操作カバー１０９を備えている（図３も参照）。よって、カメラ本体１０をカバー１００で覆っても、操作カバー１０９，１２２を介してシャッターボタン１４，カーソルボタン２２，操作ボタン２４に対して各種操作が行える。
【００７２】
また、液晶窓１０６とストロボ窓１１０には、透明な樹脂等からなる透明カバー１０７，１１１が嵌めこまれている。よって、カメラ本体１０をカバー１００で覆っても、液晶ディスプレイ２６の表示を、透明カバー１０７を通して見ることができるし、ストロボ光も透明カバー１１１を通して露光できる。
【００７３】
更に、図３にも示すように、レンズ窓１１３には、コップ形状の透明な樹脂等からなるレンズユニットカバー１１２が取りつけられ、レンズ窓１１３から突出したレンズユニット１１を覆っている。よって、カバー１００で覆っても撮影ができるし、レンズユニット１１の伸縮も可能である。なお、レンズユニット１１の伸縮に連動してレンズユニットカバー１１２も伸縮する構成としても良い。
【００７４】
また、図１に示すように、カバー１００は、第一カバー１０４と第二カバー１０２とからなる２ピース構造となっている。そして、第一カバー１０４と第二カバー１０２とは、接着接合される。なお、第一カバー１０４と第二カバー１０２とは、蝶番（ちょうつがい）などで連結されていても良い。
【００７５】
さて、カメラハウジング１５は、透明、又は半透明をしており、遮光性を有していない。よって、カメラ本体１０のみでは撮影できない。しかし、カバー１００は遮光性を有している。また、各窓枠部分には遮光性を有する弾性部材１２０が配設されているので、カメラハウジング１５とカバー１００との隙間も遮光されている。（図３参照）。よって、デジタルカメラ１は、カメラ本体１０にカバー１００を取り付けた状態で、初めて撮影可能な遮光性を有する構成となっている。
【００７６】
つぎに、デジタルカメラ１の電気系の構成を説明する。
【００７７】
図１２に示すように、デジタルカメラ１は、複数の撮影レンズ１２を備えるレンズユニット１１、レンズユニット１１（撮影レンズ１２）を通り抜ける光の量を調整する絞り３０、撮影レンズ１２の光軸後方に配設されたＣＣＤ３２等を含んで構成されている。
【００７８】
ＣＣＤ３２の出力端には、相関２重サンプリング回路（ＣＤＳ）３４，ゲインコントローラ（ＧＣ）３５，およびＡ／Ｄコンバータ３６を順に介し、図示しないホワイトバランス調整回路，ガンマ補正回路，ＹＣ信号作成回路，および所定の圧縮形式（本実施形態ではＪＰＥＧ（Ｊｏｉｎｔ  Ｐｈｏｔｏｇｒａｐｈｉｃ  Ｅｘｐｅｒｔｓ  Ｇｒｏｕｐ）形式）でデジタル画像データに対して圧縮処理を施すと共に、圧縮処理されたデジタル画像データに対して伸張処理を施す圧縮・伸張部などから構成されるデジタル信号処理部３８が接続されている。
【００７９】
デジタルカメラ１の全体的な動作を司る中央演算処理装置（ＣＰＵ）４０には、露光に際して適正な露光光量が得られない低照度の場合に発光されるストロボ１６（図１参照）、カーソルボタン２２，操作ボタン２４，シャッターボタン１４（図１参照）などを備える操作部１６、デジタル信号処理部３８、撮影レンズ１２を合焦位置などに移動させる駆動部４２、絞り３０を被写体輝度（撮影ＥＶ）で設定された絞り値に基づいて駆動させる駆動部４４、タイミング信号を生成するタイミングジェネレータ（ＴＧ）４６が接続されている。
【００８０】
ＣＰＵ４０は、ＣＣＤ３２による撮像によって得られた画像のコントラストが最大となるように、撮影レンズ１２の駆動部４２を駆動制御することによって合焦制御を行う。デジタルカメラ１は、合焦制御として、読み取られた画像のコントラストが最大となるように撮影レンズ１２の位置を設定する、いわゆるＴＴＬ（Ｔｈｒｏｕｇｈ Ｔｈｅ Ｌｅｎｓ）測光方式を採用している。そして、デジタルカメラ１では、オートフォーカス・フレームによって示される撮影位置に被写体が位置した状態において、シャッターボタン１４（図１参照）が半押されることにより、自動的に合焦制御が行われる。
【００８１】
ＴＧ４６にはＣＣＤ３２を駆動するＣＣＤ駆動部４８が接続されており、そしてＣＣＤ駆動部４８すなわちＣＣＤ３２，ＣＤＳ３４，ＧＣ３５，及びＡ／Ｄコンバータ３６はＴＧ４６から加えられるタイミング信号によって同期して駆動される。また、撮影レンズ１２または絞り３０は、ＣＰＵ４０の制御信号に基づいて駆動される駆動部４２または４４を介し、移動または駆動する。
【００８２】
ＧＣ３５はＣＣＤ３２におけるＲ（赤），Ｇ（緑），Ｂ（青）毎の感度調整を行う。また、デジタル信号処理部３８にはメモリ３９が接続されており、このメモリ３９はＡ／Ｄコンバータ３６から出力された各々１２ビットのＲ、Ｇ、Ｂ信号（以下、単に「デジタル画像データ」という。）を一旦格納する。
【００８３】
そして、ＣＰＵ４０はメモリ３９に格納されたデジタル画像データを読出し、読出されたデジタル画像データをデジタル信号処理部３８において光源種に応じたデジタルゲインをかけることでホワイトバランス調整を行なうと共に、ガンマ処理及びシャープネス処理を行なって８ビットのデジタル画像データを生成し、更にＹＣ信号処理して輝度信号Ｙとクロマ信号Ｃｒ、Ｃｂ（以下、「ＹＣ信号」という。）を生成し、ＹＣ信号を再びメモリ３９に格納する。
【００８４】
デジタル信号処理部３８には、ＣＣＤ３２による撮像によって得られた被写体像や各種情報を表示する液晶ディスプレイ２６と、主としてＣＣＤ３２による撮像によって得られたデジタル画像データを記録する記憶部２０が接続されている。なお、図２（Ｂ）にも示すように、液晶ディスプレイ２６は、ＣＣＤ２２による連続的な撮像によって得られた動画像（スルー画像）を表示してファインダとして使用することができる。
【００８５】
また、記憶部２０は、カメラ本体１０に内蔵され、取り外し不可能となっている。更に、操作部１６に配置されたシャッターボタン１４が撮影者によって押圧操作された場合には、メモリ３９に格納されたＹＣ信号が、圧縮・伸張部によって所定の圧縮形式で圧縮した後に記憶部２０に記憶される。つまり、撮影された画像データが記憶部２０に記憶される。
【００８６】
デジタルカメラ１は、デジタル信号処理部３８、ＣＰＵ４０、記憶部２０、外部接続部５４、ＥＥＰＲＯＭ５６等が、バスＢＵＳを介して相互に接続されて構成されている。
【００８７】
外部接続部５４には、前述した接続端子１５０（図１１（Ｂ）参照）が接続されており、外部接続部５４は接続端子１５０に接続された外部装置６２との通信を司る。
【００８８】
そして、デジタルカメラ１は、接続端子１５０を介して接続された外部装置６２に対して、記憶部２０に記憶されている画像データを送信することができるように構成されている。
【００８９】
また、ＥＥＰＲＯＭ５６には、撮像時に参照される各種の調整データが記録されている。なお、撮像時に参照される各種の調整データとは、オートフォーカス用データ、ＣＣＤ３２のシェーディング補正用データなどを指す。また、このような調整データを参照せずに撮影すると、正常な撮影画像を得ることができない。
【００９０】
つぎに、本実施形態のデジタルカメラ１のリサイクル方法、及びリサイクルシステムについて説明する。
【００９１】
前述したように、デジタルカメラ１は、不特定多数のユーザーに貸し出して回収する、所謂レンタルタイプ、あるいは販売して回収する、所謂リサイクルタイプのデジタルカメラある。なお、下記では、販売して回収するリサイクルタイプのデジタルカメラとして説明する。
【００９２】
図１０に示すように、デジタルカメラ１を販売業者Ａが販売する。購入したユーザーＢが撮影し、撮影済みのデジタルカメラ１となると、回収業者Ｃに持ち込む。なお、販売業者Ａと回収業者Ｃとは、同一であっても良いし、別であって良い。
【００９３】
回収業者Ｃは、カバー１００を第一カバー１０４と第二カバー１０２とに分解して外す。そして、図１１に示すように、外部装置６２の接続端子１５２を、カメラ本体１０の接続端子１５０に接続し、画像データを記憶部２０（図１２参照）から読み出すとともに、記憶部２０の画像データを消去する。読み出された画像データは、メモリーカードなどの記憶媒体に記憶させたり、メールで送信したりしてユーザーＢに渡す。あるいは、プリントしてプリント画像として渡す。
【００９４】
ユーザーＢに画像データ，プリント画像を渡したのち、回収業者Ｃはカバー１００とカメラ本体１０とを再生工場Ｄに送る。再生工場Ｄでは、カメラ本体１０の動作確認・検査・部品交換・充電などのリサイクル作業Ｄ１を行う。また、カバー１００も再使用可能な部品は再使用し、再使用できない部品は原料として利用するリサイクル作業Ｄ２を行う。
【００９５】
そして、カメラ本体１０へカバー１００を取り付ける作業や検査等の組立作業Ｄ３を行ったのち、最終検査作業Ｄ４を行い、リサイクルされたデジタルカメラ１を出荷し、再度、販売店Ａで販売する。
【００９６】
つぎに、本実施形態の作用について説明する。
【００９７】
前述したように、デジタルカメラ１は、専用の接続端子１５２（図１１）でないと画像を読み出すことができない、換言すると、ユーザーは画像データを取り出すことはできない。
【００９８】
しかも、カメラ本体１０に設けられた接続端子１５０はカバー１００で覆われており、外部に露出していない。また、カバー１００は第一カバー１０４と第二カバー１０２とが接着接合されており、ユーザーはカバー１００を壊さないと取り外せない。
【００９９】
仮にカバー１００を壊して取り外しても、カメラ本体１０のカメラハウジング１５は遮光性を有していないので、カバー１００を外したカメラ本体１０のみの状態では撮影できない。
【０１００】
また、カバー１００を壊して取り外すので、再度取りつけることも出来ない。つまり、カバー１００を壊して取り外すと、再度撮影可能な状態には復帰できない。
【０１０１】
このように、ユーザーが画像を取り出すことが略不可能となっており、また、仮にカバー１００を壊して画像データを取り出そうとしても、再び撮影可能な状態には復帰しない構成となっている。
【０１０２】
よって、ユーザーは撮影済みのデジタルカメラ１を、必ず回収業者Ｃに持っていくことになる。したがって、図１０に示す、リサイクルシステムの構築に支障をきたさない。
【０１０３】
更に、デジタルカメラ１は、カメラ本体１０をカバー１００が覆う構成である。よって、傷や汚れはカバー１００にはつくが、カメラ本体１０のカメラハウジング１５、液晶ディスプレイ２６、レンズユニット１１などには傷や汚れがつかない。したがって、安価なカバー１００を交換するだけで外観上は新品と略同等なる。また、リサイクル作業も容易である。
【０１０４】
なお、バッテリーは、ユーザーで充電可能な構成としても良いし、回収業者Ｃや再生工場Ｄでのみで可能な構成としても良い。
【０１０５】
尚、本実施形態では、カメラ本体１０のハウジング１５は、全体が透明、又は半透明となっていたが、一部分のみが透明、又は半透明となっていても良い。但し、ユーザーが容易に遮光可能な構成、例えば、小さなシールを貼ることで遮光可能な構成は望ましくない。
【０１０６】
また、本実施形態では、接続端子１５０、１５２を通常の規格品でなく、このデジタルカメラ１専用とし、ユーザーが画像データを取り出すことができない構成としたが、これに限定されない。例えば、画像データの読出しにはパスワードや認証が必要な構成とし、ユーザーが画像データを取り出すことができない構成としても良い。
【０１０７】
また、本実施形態では、カバー１００は、第一カバー１０４と第二カバー１０２とは、接着接合されていたが、これに限定されない。例えば、カバー１００は、専用の鍵がないと第一カバー１０４と第二カバー１０２とに分解できない構成としても良い。このような構成も、ユーザーは専用の鍵が無いので、カバー１００を壊さないと分解できない。
【０１０８】
つぎに、本発明の第二の実施形態のデジタルカメラについて説明する。なお、第一の実施形態と同一の部材には同一の符号を付し、重複した説明は省略する。
【０１０９】
図４と図５とに示すように、デジタルカメラ２のカバー２００の第一カバー２０４には、レンズユニットカバー１１２（図１参照）の代わりに、少なくとも１枚以上の撮影レンズ１２を備える鏡胴２１２を備えている。
【０１１０】
なお、カメラハウジング１９８は遮光性を有していても、有していなくても良いが、遮光性を有していない場合は、第一の実施形態のようにカバー２００を取り付けることで、遮光性を有する構成とする。
【０１１１】
また、同様に、第一カバー２０４と第二カバー１０２とは、接着接合される。なお、本実施形態の場合は接着接合でなく、ビスやボルトなどで接合しても良い。なお、使用するビスやボルトなどは、特殊工具でないと廻せない特殊なビスやボルト、例えば、先端が三つに分かれている特殊ビス（ベンツビス）等を使用すると、上述した鍵と略同様の効果が得られるので、望ましい。
【０１１２】
つぎに、本実施形態のデジタルカメラ２のリサイクル方法、及びリサイクルシステムは、第一実施形態と略同様であるが、カバー２００が接着接合でなく、特殊ビス等で接合されている場合は、回収業者Ｃでのカバー２００の分解作業が行い易いし、再生工場Ｄでのカバー２００の再使用も行い易い。
【０１１３】
つぎに、本実施形態の作用について説明する。
【０１１４】
第一の実施形態と同様に、カバー２００は第一カバー２０４と第二カバー１０２とが接着接合されており、ユーザーはカバー２００を壊さないと取り外せないし、カバー２００を壊して取り外しても、第一カバー２０４は撮影レンズ１２を備えているので、カメラ本体１９９のみでは撮影レンズ１２が足りない。よって、正常な撮影画像を得られない。
【０１１５】
また、第一カバー２０４と第二カバー１０２とが特殊ビスで接合されている場合でも、ユーザーは特殊工具の入手が困難であるので、ユーザーはカバー２００を壊さないと取り外せない。
【０１１６】
仮にカバー２００を壊したり、特殊工具を入手してりして、ユーザーがカバー２００を分解し取り外しても、前述したように、デジタルカメラ２は、専用の接続端子１５２（図１１参照）がないと画像を読み出すことができないので、ユーザーは画像データを取り出すことはできない。
【０１１７】
更に、第一カバー２０４は撮影レンズ１２を備えているので、再度カメラ本体１９９にカバー２００を取り付ける際には、光軸調整が必要である。光軸調整は専用の治具を用いてミクロンオーダーで調整する必要があるので、ユーザーが行うことは不可能である。よって、取り外したカバー２００を単純にカメラ本体１９９に再度取り付けても光軸が合ってないので正常な撮影画像を得られない。つまり、カバー２００を取り外すと、再度撮影可能な状態には復帰できない。
【０１１８】
つぎに、本発明の第三の実施形態のデジタルカメラについて説明する。なお、第一、及び第二の実施形態と同一の部材には同一の符号を付し、重複した説明は省略する。
【０１１９】
図６に示すように、デジタルカメラ３のカバー３００は、第一カバー１０４とシャッターボタン１４４が固定された第二カバー３０２とからなる。更に、第二カバー３０２は、第二Ａカバー３０４とシャッターボタン１１４が固定された上面の第二Ｂカバー３０３から構成されている。また、シャッターボタン１１４にはフレキシブル基板１４８が取り付けられている。
【０１２０】
なお、カメラハウジング１８８は遮光性を有していても、有していなくても良いが、遮光性を有していない場合は、第一の実施形態のようにカバー３００を取り付けることで、遮光性を有する構成とする。
【０１２１】
カメラ本体１８９のカメラハウジング１８８の上面には、シャッターボタン１１４に取り付けられたフレキシブル基板１４８が通るスリット１４６が形成されている。スリット１４６の周囲にも弾性部材１２０が設けられている。また、第一カバー１０４と第二カバー３０２とは接着接合される。なお、本実施形態の場合も接着接合でなく、ビスやボルトなどで接合されていても良いが、その場合は、特殊工具でないと廻せない特殊なビスやボルト、例えば、先端が三つに分かれている特殊ビス（ベンツビス）等を使用するほうが望ましい。
【０１２２】
つぎに、第二Ｂカバー３０３に固定されたシャッターボタン１４４に取り付けられているフレキシブル基板１４８とカメラ本体１８９との接続方法の一例を示す。
【０１２３】
図７（Ａ）に示すように、カメラ本体１８９のカメラハウジング１８８の後面が開いた状態で、スリット１４６からフレキシブル基板１４８を通し、カメラ本体１８９内部のコネクタ１６０に接続する。コネクタ１６０はフレキシブル基板１４８を挟みこんで固定する。そして、カメラハウジング１８８の後面を閉じて、第一カバー１０４（図６参照）と第二Ａカバー３０４とを接合する。なお、コネクタ１６０にフレキシブル基板１４８を挟みこんで固定しても、上方に引っ張るとコネクタ１６０からフレキシブル基板１４８が抜け出る。しかし、再度、コネクタ１６０にフレキシブル基板１４８を挿し込んで接続することはできない。
【０１２４】
本実施形態のデジタルカメラ３のリサイクル方法、及びリサイクルシステムについては、第二の実施形態と略同様である。
【０１２５】
つぎに、本実施形態の作用について説明する。
【０１２６】
第一の実施形態と同様に、カバー３００は第一カバー１０４と第二カバー３０２とが接着接合されており、ユーザーはカバー３００を壊さないと取り外せない。また、カバー３００が特殊ビスで接合されている場合でも、ユーザーは特殊工具の入手が困難であるので、ユーザーはカバー３００を壊さないと取り外せない。
【０１２７】
仮に、カバー３００を壊したり、特殊工具を入手してカバー３００をユーザーが分解し取り外しても、前述したように、デジタルカメラ３は、専用の接続端子１５２がないと画像を読み出すことができないので、ユーザーは画像データを取り出すことはできない。
【０１２８】
更に、前述したように、カバー３００にシャッターボタン１４４が取り付けられているのでカバー３００を取り外すと、フレキシブル基板１４８が引っ張られコネクタ１６０から抜け出る。つまり、カバー３００を取り外すとシャッター機能が失われるので、カメラ本体１８９のみでは撮影できない。
【０１２９】
また、コネクタ１６０はカメラ本体１８９内部にあるので、フレキシブル基板１４８を再びコネクタ１６０に接続できない。よって、取り外したカバー３００を単純にカメラ本体１８９に再度取り付けてもシャッター機能は復帰しない。つまり、カバー３００を取り外すと、再度撮影可能な状態には復帰できない。
【０１３０】
なお、本実施形態では、シャッターボタン１１４をカバー３００に固定していたが、これに限定されない。操作部１６の、カーソルボタン２２，操作ボタン２４等をカバー３００に固定しても良い。
【０１３１】
つぎに、本発明の第四の実施形態のデジタルカメラについて説明する。なお、第一から第三の実施形態と同一の部材には同一の符号を付し、重複した説明は省略する。
【０１３２】
図８に示すように、デジタルカメラ４のカバー４００の第二カバー４０２の内壁には、撮影時に参照する調整データを記憶したＥＥＰＲＯＭ５６（図１２参照）が固定されている。ＥＥＰＲＯＭ５６には、コネクタ等を介してフレキシブル基板２４８が取り付けられている。
【０１３３】
なお、カメラハウジング１７８は遮光性を有していても、有していなくても良いが、遮光性を有していない場合は、第一の実施形態のようにカバー４００を取り付けることで、遮光性を有する構成とする。
【０１３４】
カメラ本体１７９のカメラハウジング１７８の側面には、フレキシブル基板２４８が通るスリット２４６が形成されている。また、第一カバー１０４と第二カバー４０２とは接着接合される。なお、本実施形態の場合も接着接合でなく、ビスやボルトなどで接合しても良く、その場合は、特殊な工具でないと廻せない特殊なビスやボルト、例えば、先端が三つに分かれている特殊ビス（ベンツビス）等を使用するほうが望ましい。
【０１３５】
また、ＥＥＰＲＯＭ５６に取り付けられたフレキシブル基板２４８とカメラ本体１７９に内蔵されているコネクタ（図示略）との接続方法については、上面と側面との違い以外は、上記、第三の実施形態と略同様である。また、デジタルカメラ４のリサイクル方法、リサイクルシステムについても、上記、第二、第三の実施形態と略同様である。
【０１３６】
つぎに、本実施形態の作用について説明する。
【０１３７】
第一の実施形態と同様に、カバー４００は第一カバー１０４と第二カバー４０２とが接着接合されており、ユーザーはカバー４００を壊さないと取り外せない。また、特殊ビスで接合されている場合でも、ユーザーは特殊工具の入手が困難であるので、ユーザーはカバー４００を壊さないと取り外せない。
【０１３８】
仮に、カバー４００を壊したり、特殊工具を入手してカバー４００をユーザーが分解して取り外しても、前述したように、デジタルカメラ４は、専用の接続端子１５２がないと画像を読み出すことができないので、ユーザーは画像データを取り出すことはできない。
【０１３９】
更に、前述したように、カバー４００の内壁にＥＥＰＲＯＭ５６が取り付けられているので、カバー３００を取り外すと、第三実施形態と同様にフレキシブル基板２４８が引っ張られコネクタ（図示略）から抜け出る。つまり、カバー４００を取り外すと調整データを参照できなくなるので、カメラ本体１７９のみでは正常な撮影画像を得られない。
【０１４０】
また、コネクタはカメラ本体１７９内部にあるので、フレキシブル基板２４８を再びコネクタに接続できない。よって、取り外したカバー４００を単純にカメラ本体１７９に再度取り付けても、やはり調整データを参照できないままであるので、正常な撮影画像を得られない。つまり、カバー４００を取り外すと、再度撮影可能な状態には復帰できない。
【０１４１】
つぎに、本発明の第五の実施形態のデジタルカメラについて説明する。なお、第一から第四の実施形態と同一の部材には同一の符号を付し、重複した説明は省略する。
【０１４２】
図９に示すように、デジタルカメラ５のカバー５００の第二カバー５０２の内壁には、絶縁フィルム３５８が固定されている。カメラ本体１６９のカメラハウジング１６８の側面には、絶縁フィルム３５８が通るスリット３４６が形成されている。
【０１４３】
なお、カメラハウジング１６８は遮光性を有していても、有していなくても良いが、遮光性を有していない場合は、第一の実施形態のようにカバー５００を取り付けることで、遮光性を有する構成とする。
【０１４４】
また、第一カバー１０４と第二カバー５０２とは接着接合される。なお、本実施形態の場合も接着接合でなく、ビスやボルトなどで接合しても良く、その場合は、特殊な工具でないと廻せない特殊なビスやボルト、例えば、先端が三つに分かれている特殊ビス（ベンツビス）等を使用するほうが望ましい。
【０１４５】
また、カメラ本体１６９には、絶縁フィルム３５８が差し込まれるコネクタ（図示略）を内蔵している。そして、コネクタに絶縁フィルム３５８が差し込まれているときのみ、ＣＰＵ４０（図１２参照）は、デジタルカメラ５のあらゆる動作を許可し、コネクタに絶縁フィルム３５８が差し込まれていないときは、ＣＰＵ４０は、デジタルカメラ５のあらゆる動作を停止する。
【０１４６】
なお、カメラ本体１６９に内蔵されたコネクタと絶縁フィルム３５８との接続方法については、上記、第三と第四の実施形態と略同様である。また、デジタルカメラ５のリサイクル方法、及びリサイクルシステムについても、上記、実施形態と同様である。なお、コネクタに絶縁フィルム３５８が差し込まれていなくても、外部装置６２の接続端子１５２をカメラ本体１６９の接続端子１５０に接続すれば、画像データの読み出し、及び消去は可能である。
【０１４７】
つぎに、本実施形態の作用について説明する。
【０１４８】
第一の実施形態と同様に、カバー４００は第一カバー１０４と第二カバー５０２とが接着接合されており、ユーザーはカバー４００を壊さないと取り外せない。また、特殊ビスで接合されている場合でも、ユーザーは特殊工具の入手が困難であるので、ユーザーはカバー４００を壊さないと取り外せない。
【０１４９】
仮に、カバー４００を壊したり、特殊工具を入手してカバー４００をユーザーが分解して取り外しても、前述したように、デジタルカメラ５は、専用の接続端子１５２がないと画像を読み出すことができないので、ユーザーは画像データを取り出すことはできない。
【０１５０】
更に、前述したように、カバー５００に絶縁フィルム３５８が取り付けられているので、カバー５００を取り外すと、第三実施形態と同様に絶縁フィルム３５８が引っ張られコネクタから抜け出る。するとＣＰＵ４０は、デジタルカメラ５のあらゆる動作を停止する。よって、カメラ本体１６９のみでは撮影できない。
【０１５１】
また、コネクタはカメラ本体１６９内部にあるので、絶縁フィルム３５８は、再びコネクタと接続できない。つまり、カバー５００を取り外すと撮影が出来なくなり、また、取り外したカバー５００を単純にカメラ本体１６９に再度取り付けても、やはり撮影できないままである。つまり、カバー５００を取り外すと、再度撮影可能な状態には復帰できない。
【０１５２】
つぎに、本実施形態の変形例について説明する。
【０１５３】
変形例は、カメラ本体１６９に内蔵されているコネクタから絶縁フィルム３５８が抜け出ると、ＣＰＵ４０がＥＥＰＲＯＭ５６（図１２参照）に記憶されている調整データを消去する構成となっている。よって、カバー５００を取り外すと調整データが消去されて参照できなくなるので、第四の実施形態と同様に正常な撮影画像が得られない。
【０１５４】
なお、本発明は上記の実施形態に限定されない。
【０１５５】
例えば、上記実施形態は、カメラ本体１０，１９９，１８９，１７９，１６９のカメラハウジング１５，１９８，１８８，１７８，１６８は、いずれも箱形状であったが、これに限定されない。例えば、フレーム等からなる枠体構成であっても良い。また、カメラ本体１９９，１８９，１７９，１６９のカメラハウジング１９８，１８８，１７８，１６８が遮光性を有している場合は、カバー２００，３００，４００，５００はカメラ本体１９９，１８９，１７９，１６９全体を覆う箱形状でなくても良い。
【図面の簡単な説明】
【０１５６】
【図１】本発明の第一の実施形態にかかるデジタルカメラを、カバーとカメラ本体とに分解した状態の模式図である。
【図２】本発明の第一の実施形態にかかるデジタルカメラを模式的に示し、（Ａ）は正面図、（Ｂ）は背面図である。
【図３】本発明の第一の実施形態にかかるデジタルカメラの要部を模式的に示す断面図である
【図４】本発明の第二の実施形態にかかるデジタルカメラを、カバーとカメラ本体とに分解した状態の模式図である。
【図５】本発明の第二の実施形態にかかるデジタルカメラの要部を模式的に示す断面図である
【図６】本発明の第三の実施形態にかかるデジタルカメラを、カバーとカメラ本体とに分解した状態の模式図である。
【図７】本発明の第三の実施形態にかかるデジタルカメラのカバーに固定されたシャッターボタンに取り付けられたフレキシブル基板とカメラ本体に内蔵されたコネクタとの接続を、（Ａ）から（Ｃ）に順番に示す説明図である。
【図８】本発明の第四の実施形態にかかるデジタルカメラを、カバーとカメラ本体とに分解した状態の模式図である。
【図９】本発明の第五の実施形態にかかるデジタルカメラを、カバーとカメラ本体とに分解した状態の模式図である。
【図１０】デジタルカメラのリサイクルシステムを示す図である。
【図１１】（Ａ）はデジタルカメラのカメラ本体の接続端子と外部装置の接続端子とを接続する前の状態の図であり、（Ｂ）は接続した後の図である。
【図１２】デジタルカメラの電気系の構成を示すブロック図である。
【符号の説明】
【０１５７】
１      デジタルカメラ
２      デジタルカメラ
３      デジタルカメラ
４      デジタルカメラ
５      デジタルカメラ
１０      カメラ本体
１２      レンズ
１６      操作部
２０      記憶部（画像記憶部）
４０      ＣＰＵ（破損手段）
５６      ＥＥＰＲＯＭ（撮像情報記憶部）
６２      外部装置
１００      カバー
１４４      シャッターボタン（操作部）
１５０      接続端子（画像データ取出手段、接続部）
１５２      接続端子（画像データ取出手段）
１６９      カメラ本体
１７９      カメラ本体
１８９      カメラ本体
１９９      カメラ本体
２００      カバー
３００      カバー
３５８      絶縁フィルム（許可手段、停止手段）
４００      カバー
５００      カバー
【図１】
2007067468.tif 000003
【図２】
2007067468.tif 000004
【図３】
2007067468.tif 000005
【図４】
2007067468.tif 000006
【図５】
2007067468.tif 000007
【図６】
2007067468.tif 000008
【図７】
2007067468.tif 000009
【図８】
2007067468.tif 000010
【図９】
2007067468.tif 000011
【図１０】
2007067468.tif 000012
【図１１】
2007067468.tif 000013
【図１２】
2007067468.tif 000014